(57)【要約】  手で切り取ることできる見出し部を、定位置に揃えて形成することを可能とする見出し形成用器具を提供する。  案内路１１とスリット１２とを有する基台１０に、カット刃２０を上方に付勢させた状態で組み付けた見出し形成用器具１００において、シート２の角部を位置決めするためのガイド部３３を設け、そのガイド部３３にシートを当接させた状態で、カット刃を押し下げることで、シート２の角部を切断するためのミシン目３を形成し、そのミシン目によって区切られた領域を以って見出し部１とした。
2012121001.tif 000002
【特許請求の範囲】
【請求項１】
カット刃（２０）が摺接しながら案内される案内路（１１）と、該案内路（１１）に直交するスリット（１２）と、を有する基台（１０）に、刃先を下方に向けた前記カット刃（２０）を上方に付勢させた状態で組み付けた見出し形成用器具（１００）であって、
前記スリット（２）に挿入されるシート（２）の角部を位置決めするためのガイド部（３３）を設け、該ガイド部（３３）にシートを当接させた状態で、前記カット刃（２０）を押し下げることで、該シート（２）の角部を切断するためのミシン目を形成するように構成されたことを特徴とする見出し形成用器具。
【請求項２】
前記スリット（１２）に挿入されるシート（２）の隣りあう端縁を夫々当接させる第１の当接部（２３ａ）と第２の当接部（２３ｂ）とを、前記案内路（１１）と並行に設けられたガイド部案内路（１５ａ，１５ｂ）に夫々挿入させて配設すると共に、
該第１の当接部（２３ａ）と第２の当接部（２３ｂ）との間に、複数の単位刃を並べて構成されたミシン目用カット刃（２２）を配設したことを特徴とする請求項１に記載の見出し形成用器具。
【請求項３】
前記ガイド部（３３）は、シート（２）を載置させながら前記スリット（１２）内に案内する載置面（３５）の両側に、シート（２）の隣りあう端縁が当接される紙当て部（３４ａ，３４ｂ）を夫々設けて構成されたことを特徴とする請求項１又は請求項２に記載の見出し形成用器具。
【請求項４】
前記カット刃（２０）の刃先に、前記スリット（１２）の挿入口側に向けて突出する切り込み片（４）を作成するための切り込み片作成用カット刃（２５）を設けたことを特徴とする請求項１〜請求項３の何れか１つの請求項に記載の見出し形成用器具。
【請求項５】
前記切り込み片作成用カット刃（２５）は、前記スリット（１２）の挿入口側から両側部に向けて下向きに傾斜する下向き傾斜部（２６）を有してなり、該下向き傾斜部（２６）と、前記案内路（１６）と前記スリット（１２）とが交差する基台エッジ部（１７）との協働により、前記切り込み片（４）の先端領域が形成されるように構成されたことを特徴とする請求項４に記載の見出し形成用器具。
【請求項６】
前記切り込み片作成用カット刃（２５）は、前記両側部から奥壁部（１４）側に向けて上向きに傾斜させた上向き傾斜部（２８）を有してなり、該上向き傾斜部（２８）と前記基台エッジ部（１７）との協働によって、前記切り込み部（４）の基部が形成されるように構成されたことを特徴とする請求項５に記載の見出し形成用器具。
【請求項７】
カット刃（２０）が摺接しながら案内される案内路（１１，１６）と、該案内路（１１，１６）に直交するスリット（１２）と、を有する基台（１０）に、刃先（２２）を下方に向けた前記カット刃（２０）を上方に付勢させた状態で組み付けた見出し形成用器具（１）において、
前記スリット（１２）に挿入されるシート（２）の隣りあう端縁を夫々当接させる第１の当接部（２３ａ）と第２の当接部（２３ｂ）とを、前記案内路（１１，１６）と並行に設けられたガイド部案内路（１５ａ，１５ｂ）に夫々挿入させて配設し、
該第１の当接部（２３ａ）と第２の当接部（２３ｂ）との間に、複数の単位刃を並べて構成されたミシン目用カット刃（２２）を配設すると共に、前記スリット（１２）の挿入口側から両側部に向けて下向きに傾斜する下向き傾斜部（２６）と、該両側部から奥壁部（１４）側に向けて上向きに傾斜する上向き傾斜部（２８）とからなる切り込み片作成用カット刃（２５）を設け、
前記スリット（１２）にシート（２）を挿入して奥壁部（１４）に当接させた状態で、前記カット刃（２０）を押し下げることで、前記案内路（１１，１６）と前記スリット（１２）とが交差する基台エッジ部（１３、１７）と、前記ミシン目用カット刃（２２）との協働によって、切り取り可能なミシン目を形成すると共に、前記切り込み片作成用カット刃（２５）との協働によって、シート（２）の角部から所定長の非カット領域を介して切り込み片（４）を形成するように構成されたことを特徴とする見出し形成用器具。
【請求項８】
前記切り込み片作成用カット刃（２５）と前記基台エッジ部（１７）との協働によって形成された前記切り込み片（４）の先端領域を、前記スリット（１２）内へと復帰させるための弾性部材（６０、７０）を設けたことを特徴とする請求項７に記載の見出し形成用器具。
【発明の詳細な説明】
【技術分野】
【０００１】
本発明は、書籍の任意のページに切り取り可能な見出し部を形成するための見出し形成用器具に関する。
【背景技術】
【０００２】
書籍の任意のページに、切り取り可能な見出し部を形成するための器具として、把持部に鋸状の回転丸刃を設けた切り目入れカッターが提案されている（特許文献１を参照）。
手帳などの該当ページに、このカッターを使用して切り目を入れ、切り目の入った領域に見出し語を表示することで、そのページの記載内容（業務の予定など）に注意を喚起させることができ、業務終了時に、切り目に沿って手で引きちぎることで、スケジュール管理を容易に行うことができる。【０００３】
また、書籍の任意のページにインデックス状の見出しを形成するための器具として、支点を中心に回動する上刃と下刃との間に紙を挟み、離反方向に付勢された上刃を回動させて下刃に近接させることで、図１６に示すように、ページの端から所定距離離れた位置に、略コの字型の切り込みが形成されるようにしたものが提案されている（特許文献２を参照）。
この見出し形成具によって形成された切り込みを折り曲げ、ページの縁から外側に突出させることで、書籍の見出し部１とすることができる。
【先行技術文献】
【特許文献】
【０００４】
【特許文献１】実開昭５４−９８６９２号公報
【特許文献２】実用新案登録第３１１７５９０号公報
【発明の概要】
【発明が解決しようとする課題】
【０００５】
しかし、特許文献１の切り目入れカッターは、直線状の切り目を入れるには適するが、曲線状又は複雑な形状の切り目を入れることは難しく、見出し用の切り目を、複数のページに揃えて設けることが難しい。
特許文献２の見出し形成具は、ページの端から見出し部１までの間に非カット領域が形成されるので、見出し部１を手で引きちぎった際に、美しく切断することができない。
そこで、本発明は、手で切り取ることできる見出し部を、定位置に揃えて形成することを可能とする見出し形成用器具の提供を目的とする。
【課題を解決するための手段】
【０００６】
上記課題を解決するために、本発明に係る見出し形成用器具は、カット刃が摺接しながら案内される案内路と、該案内路に直交するスリットと、を有する基台に、刃先を下方に向けた前記カット刃を上方に付勢させた状態で組み付けた見出し形成用器具であって、前記スリットに挿入されるシートの角部を位置決めするためのガイド部を設け、該ガイド部にシートを当接させた状態で、前記カット刃を押し下げることで、該シートの角部を切断するためのミシン目を形成するように構成されたことを特徴とするものである。【０００７】
また、本発明に係る見出し形成用器具は、カット刃が摺接しながら案内される案内路と、該案内路に直交するスリットと、を有する基台に、刃先を下方に向けた前記カット刃を上方に付勢させた状態で組み付けた見出し形成用器具において、前記スリットに挿入されるシートの隣りあう端縁を夫々当接させる第１の当接部と第２の当接部とを、前記案内路と並行に設けられたガイド部案内路に夫々挿入させて配設し、該第１の当接部と第２の当接部との間に、複数の単位刃を並べて構成されたミシン目用カット刃を配設すると共に、前記スリットの挿入口側から両側部に向けて下向きに傾斜する下向き傾斜部と、該両側部から奥壁部側に向けて上向きに傾斜する上向き傾斜部とからなる切り込み片作成用カット刃を設け、前記スリットにシートを挿入して奥壁部に当接させた状態で、前記カット刃を押し下げることで、前記案内路と前記スリットとが交差する基台エッジ部と、前記ミシン目用カット刃との協働によって、切り取り可能なミシン目を形成すると共に、前記切り込み片作成用カット刃との協働によって、シートの角部から所定長の非カット領域を介して切り込み片を形成するように構成したことを特徴とするものである。
【発明の効果】
【０００８】
本発明に係る見出し形成用器具は、スリットにシートを挿入し、ガイド部にシートを当接させた状態でカット刃を押し下げることで、カット刃が案内路に摺接しながら下降し、先端の刃先部と、スリットを形成する基台の上端縁との協働によって、シートの角部にミシン目が形成される。
ガイド部にシートを当接させることで、シートの角部を位置決めすることができるので、決まった形状のミシン目を、シートの角部の定位置に設けることができる。
このミシン目によって区切られた領域を見出し部とし、その見出し部に、業務予定などを記載し、その業務が完了した際に、ミシン目に沿って手で切り取るようにすれば、スケジュール管理用の特別な手帳を購入するまでもなく、通常の手帳でスケジュール管理を行うことができる。【０００９】
また、切り込み片作成用カット刃を設けたものにあっては、切り込み片の基部を折り曲げて先端をシートの隅から外側に向けて突出させることで、インデックスシールなどの特別な部材を用いることなく、書籍の端から突出した見出し部を形成することできる。
【図面の簡単な説明】
【００１０】
【図１】本発明の第１実施形態に係る見出し形成用器具の正面図である。
【図２】上記見出し形成用器具の側面図である。
【図３】上記見出し形成用器具の背面図である。
【図４】上記見出し形成用器具の平面図である。
【図５】上記見出し形成用器具の底面図である。
【図６】上記見出し形成用器具を使用して作成された見出し部によってスケジュール管理を行う状態を示す説明図であり、（ａ）は書籍に見出し部を作成した状態、（ｂ）は見出し部を切り取った状態を示す。
【図７】上記見出し形成用器具を使用してシートに見出し部を形成する方法の説明図であり、（ａ）はシートを挿入する状態、（ｂ）はカット刃を押し下げて見出し部を形成する状態、（ｃ）はシートを抜き出した状態、（ｄ）は見出し部を切り取った状態を示す。
【図８】上記見出し形成用器具の分解図である。
【図９】上記見出し形成用器具の使用状態を示すＡ−Ａ線矢視断面図であり、（ａ）はシートを挿入する前、（ｂ）はシートをガイド部に当接させて位置決めする状態、（ｃ）はカット刃を下降させて見出し部を形成する状態を示す。
【図１０】見出し部の変形態様を示す説明図である。
【図１１】本発明の第２実施形態に係る見出し形成用器具を使用してシートに切り込み片付きの見出し部を形成する方法の説明図であり、（ａ）はシートを挿入した状態、（ｂ）は切り込み片付きの見出し部を形成した状態、（ｃ）は切り込み片を折り曲げてシートの隅から突出させた状態、（ｄ）は見出し部を切り取った状態を示す。
【図１２】上記見出し形成用器具の分解図である。
【図１３】上記見出し形成用器具のＢ−Ｂ線矢視断面図であり、（ａ）は切り込みを入れる前、（ｂ）はカット刃を下降させて切り込み片を形成する状態、（ｃ）はカット刃が初期位置に復帰される状態を示す。
【図１４】上記第２実施形態の変形例であり、切り込み片を所期位置に復帰させる弾性部材を設けたものを示す分解斜視図である。
【図１５】上記弾性部材の変形態様を示す断面図である。
【図１６】従来の見出し作成器具によって見出し部を作成する状態を示す説明図である。
【発明を実施するための形態】
【００１１】
本発明の好適な実施形態について、添付図面に基づいて説明する。なお、実施形態は以下の形態に限定されるものではなく、本発明の課題を解決しうるものであれば他の態様も実施可能である。
【実施例１】
【００１２】
図１、図２、図３、図４及び図５は、本発明の第１実施形態に係る見出し形成用器具１００を示す正面図、側面図、背面図、平面図及び底面図である。
この見出し形成用器具１００は、図６に示すように、本、ノート或いは書類束など、複数のシートを束状又は冊子状に束ねて形成された書籍に見出し部１を作成するためのものであり、図７に示すように、シート２の角部に、手で切り取ることができるようなミシン目３を形成するものである。このミシン目３によって区分された領域を、業務予定等を記載するための見出し部１とし、その業務が終了した際に即座に切り取るようにすることで、スケジュールの管理を容易にすることができる。【００１３】
この見出し形成用器具１００は、図８に示すように、基台１０にカット刃２０を組み付けた状態でハウジング３０ａ，３０ｂに収容して構成される。
基台１０は、金属製の部材によって構成されており、カット刃２０を挿入するための案内路１１が設けられている。
即ち、カット刃２０の刃先には、複数の穿孔刃２２ａ，２２ｂ・・・からなるミシン目形成用カット刃２２が形成されており、それらの穿孔刃２２ａ，２２ｂ・・・が、夫々の案内路１１ａ，１１ｂ・・・に摺接しながら上下動されるように、挿入されている。【００１４】
これらの穿孔刃２２ａ，２２ｂ・・・は、ミシン目を形成するための単位刃となるものであり、その外径形状と、夫々の案内路１１ａ，１１ｂ・・・の内径形状とは略一致している。
案内路１１ａ，１１ｂ・・・に直交するように、シート２を挿入するためのスリット１２が設けられる。案内路１１ａ，１１ｂ・・・とスリット１２とが交差する基台の上縁は、エッジ状になっており、夫々の案内路１１ａ，１１ｂ・・・におけるエッジ部１３と、その穿孔刃２２ａ，２２ｂ・・・との協働により、スリット１２に挿入されたシートに複数の孔が開設される。【００１５】
カット刃２０の上端には、フランジ部２１が設けられている。このフランジ部２１と基台１０との間には、スプリング４０が介装されており、基台１０に対してカット刃２０を上方に付勢している（図９を参照）。
スプリング４０の付勢力に抗してカット刃２０を押し下げることで、先端のミシン目作成用カット刃２２と、案内路１１のエッジ部１３との協働によってシート２に所定形状のミシン目が形成され、押し下げる力を解除することで、初期位置に復帰される。【００１６】
次に、シート２の角部にミシン目を形成するためのガイド部２３とミシン目作成用カット刃２２の構成を詳述する。
カット刃２０の先端部には、ミシン目作成用カット刃２２の両側に、柱状のガイド部２３ａ，２３ｂが設けられている。この柱状ガイド部２３ａ，２３ｂは、シートの隣りあう端縁を当接させることによって、シートの角部を位置決めするための部位であり、カット刃２０の案内路１１と平行に設けられたガイド部案内路１５ａ，１５ｂに夫々が挿入されている。これらの柱状ガイド部２３ａ，２３ｂの先端は、ミシン目作成用カット刃２２の刃先よりも下方に位置しており、図９（ａ）に示す初期状態において、スリット１２内を貫通する柱の状態となっている。【００１７】
この柱状ガイド部２３ａ、２３ｂは、スリット１２の奥壁１４の中央部から４５度の角度を成して前方に延びるラインＬａ、Ｌｂ上に位置している（図８を参照）。このラインＬａ、Ｌｂは、矩形状のシートの隣りあう端縁に対応するラインであり、９０度の角度Ｒで交わっている。
スリット１２の奥壁１４に向けてシート２を挿入し、この柱状ガイド部２３ａ，２３ｂにシート２の端縁を当接させることで、シート２の角部が案内される。【００１８】
２つの柱状ガイド部２３ａ、２３ｂの間には、複数の穿孔刃２２ａ，２２ｂ・・・が曲線状に並んで配設されている。これらの穿孔刃２２ａ，２２ｂ・・・はミシン目作成用カット刃２２を構成するものであり、両端の柱状ガイド部２３ａ，２３ｂの間に、等間隔且つ連続的に配設されている。なお、この穿孔刃２２ａ，２２ｂ・・・の配列状態は、見出し部１を切り取るためのミシン目模様に応じて設計するものとする。【００１９】
このようなカット刃２０と基台１０の組み立て体を、ハウジング３０に収容することで本実施形態の見出し形成用器具１００が形成される。
ハウジング３０は、上部用の半割り容器３０ａと、下部用の半割り容器３０ｂと、を組み合わせて構成されており、上部用の容器３０ａの上面中央部に開口部３１を設け、その開口部３１に、カット刃２０の押し下げ操作を行うためのキャップ状の操作部５０を取り付けている。操作部５０の上面には、カット刃２０に対応する見出し部１の切り取り形状が表示されている。【００２０】
上部用の半割り容器３０ａと、下部用の半割り容器３０ｂとは、両側面の中間部から背面にかけての領域で接合されており、接合した際に、基台１０のスリット１２に対応するような隙間３２が正面に形成されるように設計されている（図９を参照）。
下部用の半割り容器３０ｂの正面から両側に向けては、シート２の角部を案内するためのガイド部３３が形成されている。このガイド部３３は、シート２の端縁を当接させるための紙当て部３４ａ，３４ｂと、シート２を載置させながらスリット１２内に案内するための載置面３５と、によって構成されている（図８を参照）。【００２１】
紙当て部３４ａ，３４ｂは、下部用半割り容器３０ｂの左右の側壁から４５度の角度を成して夫々前方に突設されており、その壁面にシート２の隣りあう端縁を当接させながら、載置面３５に沿ってシート２をスリット１２内に挿入することによって、シート２の角部が定位置に案内されるようになっている。スリット１２内に入ったシート２は、柱状ガイド部２３ａ，２３ｂに案内されて、更に位置決めされる。
下部用半割り容器３０ｂの底面には、ミシン目作成用カット刃２２の配列に応じた形状の穿孔屑排出口３６が設けられており、上部用の半割り容器３０ａの正面中央には、中央位置を示すための目印３７が設けられている。【００２２】
上記見出し形成用器具１００を使用して、図６（ａ）に示すように、手帳等のページの隅に、スケジュール管理用の見出し部１を形成する方法を説明する。
先ず、図７（ａ）に示すように、見出し部を作成しようとするシート２の角部に見出し形成用器具１を差し込む。
この際、シート２をガイド部３３に沿わせて挿入し、紙当て部３４ａ，３４ｂ及び柱状ガイド部２３ａ，２３ｂにシート２の隣りあう端縁を当接させる（図７（ｂ）及び図９（ｂ）を参照）。これによって、見出し部１を形成すべきシート２の角部に、ミシン目作成用カット刃２２が位置決めされる。【００２３】
そして、ハウジング３０上面の操作部５０を押し下げる。すると、図９（ｃ）に示すように、カット刃２０が下降し、スリット１２と各案内路１１ａ，１１ｂ・・・とが交差する基台１０のエッジ部１３において、夫々の穿孔刃２２ａ，２２ｂ・・・との協働により穿孔される。そして、これらの穿孔刃２２ａ，２２ｂ・・・の配列に応じたミシン目３が、シート２に形成される（図７（ｃ）を参照）。【００２４】
このようにして作成された切り取り可能な見出し部１に、作業予定日などのスケジュールを記載することによって、スケジュール管理用の手帳とすることができる（図６（ａ）を参照）。
そして、その予定が終了した際には、ミシン目３に沿って手で切り取る。切り取られた見出し部１は、作業控えとして保管することで、スケジュールの管理をより効果的なものにすることができる。【００２５】
本発明によれば、スリット１２にシート２を挿入し、ハウジング３０の外壁面に設けられたガイド部３３と、スリット１２内の柱状ガイド部２３ａ，２３ｂとに、シート２の隣りあう端縁部を当接させた状態で、カット刃２０を押し下げるだけで、シート２の隅の定位置に見出し部１を形成することができる。
また、ミシン目を形成するためのカット刃２２が、案内路１１に摺接しながら下降し、基台のエッジ部１３との協働によって、シート２を切断する構造なので、直線状、曲線状、パイプ状など、多様な刃先形状の単位刃を採用することによって、デザイン的なラインのミシン目を形成することができる。【００２６】
即ち、ミシン目作成用カット刃２２の穿孔刃の配列によっては、図１０（ａ）のように、デザイン的な模様の見出し部１を作成する見出し形成用器具１０１とすることもできるし、図１０（ｂ）に示すように、矩形状の見出し部１を作成する見出し形成用器具１０２とすることもできる。
また、図１０（ｃ）に示すように、ミシン目作成用カット刃２２を、孔をあけるための穿孔刃ではなく、切り込み線を入れるためのカット刃とすることも可能である。【００２７】
ガイド部にシートを当接させた状態でカット刃を押し下げるだけで、決まった形状のミシン目を定位置に揃えて設けることができるので、使い慣れた手帳を、体裁の良いスケジュール管理用のシステム手帳に作り変えることが可能となる。
なお、本発明のガイド部は、シート２の隣りあう端縁を当接させて角部を固定することができるものであれば、いかなる構成でもよく、如何なる部位に形成してもよい。例えば、柱状のガイド部２３ａ、２３ｂを廃し、直角の角度を成して隣接する２つの壁面をスリット内に構成してもよい。また、ハウジング３０に設けたガイド部３３のみとしてもよいし、スリット内の柱状ガイド部２３ａ、２３ｂのみとしてもよい。
【実施例２】
【００２８】
次に、本発明の第２実施形態に係る見出し形成用器具２００の構成を、図１１を参照して説明する。
この見出し形成用器具２００は、切り込み片４付きの見出し部１を形成するためのもので、カット刃２０の刃先に、ミシン目用カット刃２２に加えて、切り込み片作成用カット刃２５を設けている点で、第１実施形態のものと相違する。以下、第１実施形態の見出し形成用器具１００との相違点のみを説明し、同一構成の部材には同一符号を付すことで、その説明を省略する。【００２９】
切り込み片作成用カット刃２５は、図１２に示すように、ミシン目を形成するための穿孔刃２２ａ，２２ｂ・・・の間に配設されており、切り込み片４の形状に対応した断面形状となっている。
この切り込み片作成用カット刃２５も、穿孔刃２２の案内路１１と平行な案内路１６に挿入されており、その案内路１６とスリット１２との交差するエッジ部１７において、シート２を舌片状に切り込むように設計されている。
切り込み片作成用カット刃２５によって形成された切り込み片４を折り曲げ、シート２の端縁から突出させることで、視認性の高い見出し部１を形成することができる。【００３０】
以下、切り込み片作成用カット刃２５の構成を、図１３を参照して説明する。
この切り込み片作成用カット刃２５の刃先は、スリット１２の挿入部側から両側に向けて下向きに傾斜する下向き傾斜部２６を介して、切り込み頂部２７を両側に設けた構造となっている。
そして、両側に設けられた切り込み頂部２７から奥壁部１４側に向けて、上向きに傾斜する上向き傾斜部２８が形成されている。【００３１】
このように構成することで、切り込み片作成用カット刃２５が押し下げられた際に、先ず、両側の切り込み頂部２７によって、シート２が切り込まれ、その後、下向き傾斜部２６によって、切り込み片４の先端部４ａに向けての領域が形成されると同時に、上向き傾斜部２８により切り込み片４の基部が形成されるようにすることができる。
即ち、上向き傾斜部２８によって、切り込み片４の両側部から非カット領域に向けて徐々に切り込んでいくことができるので、切り込み片４と非カット領域との境目を美しくすることができる一方で、切り込み片４の両側部から先端部に向けて徐々に切り込むことで、切り込み片４の先端部が過度に押し下げられるのを防止できる。【００３２】
舌片状の切り込み片４を、穿孔パンチの構造の器具によって製造することができるように、切り込み頂部２７から奥壁部１４に向けて形成された上向き傾斜部２８を、カット刃２０を押し下げた際に、その上端部２５ａがエッジ部１７の高さよりも上方に位置するように設計している。これによって、カット刃２０を押し下げた際に、切り込み片４が打ち抜かれてしまうのを防止することができ、シート２の隅から所定長の非カット領域を形成することが可能となる。
以上のように、ミシン目用カット刃２２に加え、切り込み片形成用カット刃２５を設けたので、ミシン目３によって区画づけられた領域内に舌片状の切り込み片４を有する見出し部を形成することが可能な見出し形成用器具２００を構成することができる。【００３３】
上記見出し形成用器具２００を用いてシート２に見出し部１を形成する方法を説明する。
先ず、図１１（ａ）に示すように、シート２の見出しを形成しようとする位置に見出し形成用器具２００を差し込み、ハウジング３０上面の操作部５０を押し下げる。
すると、図１３（ｂ）に示すように、カット刃２０が下降し、シート２が挿入されているスリット１２と、夫々の案内路１１、１６とが交差する各エッジ部１３，１７において、シート２が穿孔され、切り込まれる。ミシン目３として穿孔された穿孔屑は、排出口３８から排出される。【００３４】
このようにして作成された見出し部１の切り込み片４の部位を折り曲げ、先端をシートの隅から外側に向けて突出させる（図１３（ｃ）を参照）。
これによって、インデックスシールなどの特別な部材を用いることなく、書籍の端から突出した見出し部を形成することできる。
この見出し部１が不要になった場合は、ミシン目３に沿って手で切り取ることができる（図１３（ｄ）を参照）。【００３５】
本実施形態の切り込み片作成用カット刃２５は、両側に切り込み頂部２７を設けた刃先構造とすることで、刃先の両側部から挿入口側に向けてシートを切り込んでいくようにしたが、この構成に限られることなく、例えば挿入口側の先端部に切り込み頂部を設けた構造としてもよい。
また、本実施形態は、カット刃の刃先を、両側部から奥壁部側に向けて上向きに傾斜させ、その上向き傾斜部の上端を、カット刃が押し下げられた際に基台エッジ部よりも上方に位置するように設計することで、刃先の両端部からシートの非カット領域に向けて徐々に切り込まれるようにしたが、傾斜状とすることなく、例えば段差を設けることで、切り込み片と非カット領域との境目を明確なものとすることも可能である。【００３６】
また、図１４に示すように、第１及び第２の当接部２３ａ，２３ｂの間に、複数の単位刃を並べて形成されたミシン目用カット刃２２を配設すると共に、切り込み片作成用カット刃２５を設けたものにおいて、切り込み片作成用カット刃２５によって切り込まれた舌片状の先端部（即ち、切り込み片４の先端領域４ａ）をスリット１２内に復帰させるための弾性部材６０をハウジング３０ｂの底面に設けてもよい。
この弾性部材６０は、スポンジやウレタン材の上面に刃受板を設けたものであってもよいし、図１５に示すように、切り込み片作成用カット刃２５の内側に収まるような大きさの板バネ７０を基台１０に設けてもよい。【００３７】
この場合、板バネ７０は、シート２の出し入れが円滑にガイドされるように、奥壁部１４から僅かに下向きに傾斜させ、切り込み片作成用カット刃２５の刃先の頂部２７に対応する位置７１が最も高くなるように緩やかに湾曲させた形状が好ましい。これによって、切り込み片４の先端領域４ａがスリット１２内へと押し戻され、シート２の出し入れをスムーズに行うことが可能となる。
【産業上の利用可能性】
【００３８】
本発明は、シートに切り取り可能な部位を設けるための器具として、あらゆる産業分野において使用することができる。  
【符号の説明】
【００３９】
１・・・見出し部
２・・・シート
３・・・ミシン目
４・・・切り込み片
１０・・・基台
１１，１６・・・案内路
１２・・・スリット
１３，１７・・・エッジ部
１４・・・奥壁部
１５・・・ガイド部案内路
２０・・・カット刃
２１・・・フランジ部
２２・・・ミシン目用カット刃
２３・・・柱状ガイド部
２５・・・切り込み片作成用カット刃
２６・・・下向き傾斜部
２７・・・切り込み頂部
２８・・・上向き傾斜部
３０・・・ハウジング
３２・・・隙間
３３・・・ガイド部
３４・・・紙当て部
３５・・・載置部
３６・・・排出口
３７・・・目印
４０・・・スプリング
５０・・・操作部
６０・・・弾性部材
７０・・・板ばね（弾性部材）
【図１】
2012121001.tif 000003
【図２】
2012121001.tif 000004
【図３】
2012121001.tif 000005
【図４】
2012121001.tif 000006
【図５】
2012121001.tif 000007
【図６】
2012121001.tif 000008
【図７】
2012121001.tif 000009
【図８】
2012121001.tif 000010
【図９】
2012121001.tif 000011
【図１０】
2012121001.tif 000012
【図１１】
2012121001.tif 000013
【図１２】
2012121001.tif 000014
【図１３】
2012121001.tif 000015
【図１４】
2012121001.tif 000016
【図１５】
2012121001.tif 000017
【図１６】
2012121001.tif 000018
【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
カット刃（２０）が摺接しながら案内される案内路（１１）と、該案内路（１１）に直交するスリット（１２）と、を有する基台（１０）に、刃先を下方に向けた前記カット刃（２０）を上方に付勢させた状態で組み付け、
前記スリット（２）に挿入されるシート（２）の角部を位置決めするためのガイド部（３３）を設け、該ガイド部（３３）にシートを当接させた状態で、前記カット刃（２０）を押し下げることで、該シート（２）の角部を切断するためのミシン目を形成するように構成された見出し形成用器具であって、
前記スリット（１２）に挿入されるシート（２）の隣りあう端縁を夫々当接させる第１の当接部（２３ａ）と第２の当接部（２３ｂ）とを、前記案内路（１１）と並行に設けられたガイド部案内路（１５ａ，１５ｂ）に夫々挿入させて配設すると共に、
該第１の当接部（２３ａ）と第２の当接部（２３ｂ）との間に、複数の単位刃を並べて構成されたミシン目用カット刃（２２）を配設したことを特徴とする見出し形成用器具。
【請求項２】
（削除）
【請求項３】
前記ガイド部（３３）は、シート（２）を載置させながら前記スリット（１２）内に案内する載置面（３５）の両側に、シート（２）の隣りあう端縁が当接される紙当て部（３４ａ，３４ｂ）を夫々設けて構成されたことを特徴とする請求項１に記載の見出し形成用器具。
【請求項４】
前記カット刃（２０）の刃先に、前記スリット（１２）の挿入口側に向けて突出する切り込み片（４）を作成するための切り込み片作成用カット刃（２５）を設けたことを特徴とする請求項１〜請求項３の何れか１つの請求項に記載の見出し形成用器具。
【請求項５】
前記切り込み片作成用カット刃（２５）は、前記スリット（１２）の挿入口側から両側部に向けて下向きに傾斜する下向き傾斜部（２６）を有してなり、該下向き傾斜部（２６）と、前記案内路（１６）と前記スリット（１２）とが交差する基台エッジ部（１７）との協働により、前記切り込み片（４）の先端領域が形成されるように構成されたことを特徴とする請求項４に記載の見出し形成用器具。
【請求項６】
前記切り込み片作成用カット刃（２５）は、前記両側部から奥壁部（１４）側に向けて上向きに傾斜させた上向き傾斜部（２８）を有してなり、該上向き傾斜部（２８）と前記基台エッジ部（１７）との協働によって、前記切り込み部（４）の基部が形成されるように構成されたことを特徴とする請求項５に記載の見出し形成用器具。
【請求項７】
カット刃（２０）が摺接しながら案内される案内路（１１，１６）と、該案内路（１１，１６）に直交するスリット（１２）と、を有する基台（１０）に、刃先（２２）を下方に向けた前記カット刃（２０）を上方に付勢させた状態で組み付けた見出し形成用器具（１）において、
前記スリット（１２）に挿入されるシート（２）の隣りあう端縁を夫々当接させる第１の当接部（２３ａ）と第２の当接部（２３ｂ）とを、前記案内路（１１，１６）と並行に設けられたガイド部案内路（１５ａ，１５ｂ）に夫々挿入させて配設し、
該第１の当接部（２３ａ）と第２の当接部（２３ｂ）との間に、複数の単位刃を並べて構成されたミシン目用カット刃（２２）を配設すると共に、前記スリット（１２）の挿入口側から両側部に向けて下向きに傾斜する下向き傾斜部（２６）と、該両側部から奥壁部（１４）側に向けて上向きに傾斜する上向き傾斜部（２８）とからなる切り込み片作成用カット刃（２５）を設け、
前記スリット（１２）にシート（２）を挿入して奥壁部（１４）に当接させた状態で、前記カット刃（２０）を押し下げることで、前記案内路（１１，１６）と前記スリット（１２）とが交差する基台エッジ部（１３、１７）と、前記ミシン目用カット刃（２２）との協働によって、切り取り可能なミシン目を形成すると共に、前記切り込み片作成用カット刃（２５）との協働によって、シート（２）の角部から所定長の非カット領域を介して切り込み片（４）を形成するように構成されたことを特徴とする見出し形成用器具。
【請求項８】
前記切り込み片作成用カット刃（２５）と前記基台エッジ部（１７）との協働によって形成された前記切り込み片（４）の先端領域を、前記スリット（１２）内へと復帰させるための弾性部材（６０、７０）を設けたことを特徴とする請求項７に記載の見出し形成用器具。
【国際調査報告】
2012121001.tif 000019
2012121001.tif 000020
2012121001.tif 000021
2012121001.tif 000022